(57)【要約】【課題】第１の導光部から第２の導光部へと効率よく光を導くことができる導光体、光源装置及び画像読み取り装置を提供することである。【解決手段】第１の導光部の第１の方向の一方側の端部と第２の導光部の第１の方向の一方側の端部とを接続する第１の接続部と、を備えており、第１の方向及び第２の方向に直交する第３の方向から平面視したときに、第１の導光部の第２の方向の他方側に位置する外縁の第１の方向の一方側の第１の端部と第２の導光部の第２の方向の一方側に位置する外縁の第１の方向の一方側の第２の端部とを接続する第１の接続部の外縁において、第１の端部と第２の端部との中点よりも第２の方向の他方側の部分を第１の外縁とし、第１の外縁は、第１の円弧部を含み、第１の円弧部の中心は、第１の端部と第２の端部との中点よりも第２の方向の一方側に位置していること、を特徴とする導光体。【選択図】図４
2015118771.tif 000002
【特許請求の範囲】
【請求項１】
第１の方向に沿って延在する第１の導光部と、
前記第１の方向に沿って延在し、かつ、前記第１の導光体に対して、前記第１の方向に直交する第２の方向の一方側に位置している第２の導光部と、
前記第１の導光部の前記第１の方向の一方側の端部と前記第２の導光部の該第１の方向の一方側の端部とを接続する第１の接続部と、
を備えており、
前記第１の方向及び前記第２の方向に直交する第３の方向から平面視したときに、前記第１の導光部の該第２の方向の他方側に位置する外縁の該第１の方向の一方側の第１の端部と前記第２の導光部の該第２の方向の一方側に位置する外縁の該第１の方向の一方側の第２の端部とを接続する前記第１の接続部の外縁において、該第１の端部と該第２の端部との中点よりも該第２の方向の他方側の部分を第１の外縁とし、該第１の端部と該第２の端部との中点よりも該第２の方向の一方側の部分を第２の外縁とし、
前記第１の外縁は、第１の円弧部を含み、
前記第１の円弧部の中心は、前記第３の方向から平面視したときに、前記第１の端部と前記第２の端部との中点よりも前記第２の方向の一方側に位置していること、
を特徴とする導光体。
【請求項２】
前記第３の方向から平面視したときに、前記第１の外縁は、前記第１の円弧部と該第１の端部との間において緩和曲線をなす第１の緩和部を、更に含んでいること、
を特徴とする請求項１に記載の導光体。
【請求項３】
前記第２の外縁は、第２の円弧部を含み、
前記第２の円弧部の中心は、前記第３の方向から平面視したときに、前記第１の端部と前記第２の端部との中点よりも前記第２の方向の他方側に位置していること、
を特徴とする請求項１又は請求項２のいずれかに記載の導光体。
【請求項４】
前記第３の方向から平面視したときに、前記第２の外縁は、前記第２の円弧部と該第２の端部との間において緩和曲線をなす第２の緩和部を、更に含んでいること、
を特徴とする請求項３に記載の導光体。
【請求項５】
前記第１の導光部の前記第１の方向の他方側の端部から該第１の導光部に光が入射すること、
を特徴とする請求項１ないし請求項４のいずれかに記載の導光体。
【請求項６】
前記第１の導光部の前記第１の方向の他方側の端部から該第１の導光部に光が入射し、
前記第２の導光部の前記第１の方向の他方側の端部から該第２の導光部に光が入射すること、
を特徴とする請求項１ないし請求項４のいずれかに記載の導光体。
【請求項７】
前記第１の導光部の前記第１の方向の他方側の端部と前記第２の導光体の該第１の方向の他方側の端部とを接続する第２の接続部を、
更に備えており、
前記第２の接続部に入射した光の少なくとも一部は、前記第１の導光部の前記第１の方向の他方側の端部又は前記第２の導光部の該第１の方向の他方側の端部に入射すること、
を特徴とする請求項６に記載の導光体。
【請求項８】
前記第１の導光部の前記第１の方向に直交する断面の重心は、該第１の導光部の該第１の方向に直交する断面の前記第２の方向の中心よりも、該第２の方向の他方側に位置していること、
を特徴とする請求項１ないし請求項７のいずれかに記載の導光体。
【請求項９】
請求項１ないし請求項５のいずれかに記載の導光体と、
前記第１の導光部の前記第１の方向の他方側の端部における前記第２の方向の中心よりも該第２の方向の他方側を中心として該第１の導光部に光を入射させる第１の光源と、
を備えていること、
を特徴とする光源装置。
【請求項１０】
請求項９に記載の光源装置を、
備えていること、
を特徴とする画像読み取り装置。
【発明の詳細な説明】
【技術分野】
【０００１】
本発明は、導光体、光源装置及び画像読み取り装置に関し、より特定的には、原稿面に光を照射する導光体、光源装置及び画像読み取り装置に関する。
【背景技術】
【０００２】
従来の導光体に関する発明としては、例えば、特許文献１に記載の照明装置が知られている。該照明装置は、導光体及び光源を備えている。導光体は、第１の導光部、第２の導光部及び接続部を備えている。第１の導光部及び第２の導光部は、主走査方向に延在しており、副走査方向に並んでいる。接続部は、第１の導光部の一端と第２の導光部の一端とを接続している。光源は、第１の導光部の他端に向かって光を放射する。第１の導光部の他端から第１の導光部に入射した光は、全反射を繰り返しながら、第１の導光部から接続部を経由して第２の導光部へと進行する。また、光は、進行中に、第１の導光部及び第２の導光部から外部に放射される。
【０００３】
以上のような照明装置において、第１の導光部から第２の導光部へと効率よく光を導くことが望まれている。
【先行技術文献】
【特許文献】
【０００４】
【特許文献１】特開２００２−１８５７０８号公報
【発明の概要】
【発明が解決しようとする課題】
【０００５】
そこで、本発明の目的は、第１の導光部から第２の導光部へと効率よく光を導くことができる導光体、光源装置及び画像読み取り装置を提供することである。
【課題を解決するための手段】
【０００６】
本発明の一形態に係る導光体は、第１の方向に沿って延在する第１の導光部と、前記第１の方向に沿って延在し、かつ、前記第１の導光体に対して、前記第１の方向に直交する第２の方向の一方側に位置している第２の導光部と、前記第１の導光部の前記第１の方向の一方側の端部と前記第２の導光部の該第１の方向の一方側の端部とを接続する第１の接続部と、を備えており、前記第１の方向及び前記第２の方向に直交する第３の方向から平面視したときに、前記第１の導光部の該第２の方向の他方側に位置する外縁の該第１の方向の一方側の第１の端部と前記第２の導光部の該第２の方向の一方側に位置する外縁の該第１の方向の一方側の第２の端部とを接続する前記第１の接続部の外縁において、該第１の端部と該第２の端部との中点よりも該第２の方向の他方側の部分を第１の外縁とし、該第１の端部と該第２の端部との中点よりも該第２の方向の一方側の部分を第２の外縁とし、前記第１の外縁は、第１の円弧部を含み、前記第１の円弧部の中心は、前記第３の方向から平面視したときに、前記第１の端部と前記第２の端部との中点よりも前記第２の方向の一方側に位置していること、を特徴とする。
【０００７】
本発明の一形態に係る光源装置は、前記導光体と、前記第１の導光部の前記第１の方向の他方側の端部における前記第２の方向の中心よりも該第２の方向の他方側を中心として該第１の導光部に光を入射させる第１の光源と、を備えていること、を特徴とする。
【０００８】
本発明の一形態に係る画像読み取り装置は、前記光源装置を、備えていること、を特徴とする。
【発明の効果】
【０００９】
本発明によれば、第１の導光部から第２の導光部へと効率よく光を導くことができる。
【図面の簡単な説明】
【００１０】
【図１】本発明の一実施形態に係る光源装置２７を備えた画像読み取り装置１０の構成図である。
【図２】光源装置２７の外観斜視図である。
【図３】光源装置２７の導光体４２の導光部４６の斜視図である。
【図４】光源装置２７をｚ軸方向の正方向側から平面視した図である。
【図５】光源装置２７ａの外観斜視図である。
【図６】光源装置２７ａの接続部５０近傍を平面視した図である。
【図７】光源装置２７ｂの接続部４９近傍を平面視した図である。
【図８】導光部４６のｙ軸方向に直交する断面における断面構造図である。
【図９】導光部４６のｙ軸方向に直交する断面における断面構造図である。
【図１０】導光部４６のｙ軸方向に直交する断面における断面構造図である。
【図１１】導光部４６のｙ軸方向に直交する断面における断面構造図である。
【図１２】導光部４６のｙ軸方向に直交する断面における断面構造図である。
【発明を実施するための形態】
【００１１】
以下に、本発明の一実施形態に係る導光体を備えた光源装置及び画像読み取り装置について説明する。
【００１２】
（画像読み取り装置の構成）
図１は、本発明の一実施形態に係る光源装置２７を備えた画像読み取り装置１０の構成図である。以下では、鉛直方向をｚ軸と定義し、スライダーユニット１８，２０の移動方向（すなわち、副走査方向）をｘ軸と定義する。そして、ｘ軸及びｚ軸に直交する方向（すなわち、主走査方向）をｙ軸と定義する。
【００１３】
画像読み取り装置１０は、図１に示すように、本体１２、プラテンガラス１６、スライダーユニット１８，２０、結像レンズ２２及び撮像素子２４を備えている。
【００１４】
本体１２は、プラテンガラス１６、スライダーユニット１８，２０、結像レンズ２２及び撮像素子２４が設けられている直方体状の筐体である。プラテンガラス１６は、本体１２のｚ軸の正方向側に設けられている開口に取り付けられている長方形状の透明板である。原稿Ｐは、プラテンガラス１６の上面に、読み取り面をｚ軸の負方向側に向けた状態で載置される。
【００１５】
スライダーユニット１８は、原稿Ｐが読み取られているときに、図１に示すように、原稿Ｐに沿って、図示しないモータ、ベルト及びプーリー等の移動手段により、ｘ軸の正方向側に向かって速度Ｖで移動させられる。スライダーユニット１８は、図１に示すように、光源装置２７及びミラー２９を含んでいる。
【００１６】
光源装置２７は、原稿Ｐに向けて２方向から光を放射し、例えば、ＬＥＤ及び導光体の組み合わせにより構成される。光源装置２７の詳細については後述する。ミラー２９は、図１に示すように、原稿Ｐにおいて反射した光Ｂをｘ軸の負方向側（スライダーユニット１８のスライド方向の一方側）に反射する。
【００１７】
スライダーユニット２０は、原稿Ｐが読み取られているときに、図１に示すように、原稿Ｐに沿って、図示しないモータ、ベルト及びプーリー等の移動手段により、ｘ軸の正方向側に向かって速度Ｖ／２で移動させられる。スライダーユニット２０は、ミラー３０，３２を含んでいる。
【００１８】
ミラー３０は、ミラー２９において反射した光Ｂをｚ軸の負方向側に反射させる。ミラー３２は、ミラー３０において反射した光Ｂをｘ軸の正方向側に反射させる。
【００１９】
結像レンズ２２は、光Ｂによって得られる光学像を撮像素子２４に結像させる。撮像素子２４は、ミラー３２において反射した光Ｂを受光する受光素子である。具体的には、撮像素子２４は、ｙ軸に延びる一次元状の撮像領域を有し、結像レンズ２２によって結像された光学像を走査して原稿Ｐの像を読み取るＣＣＤカメラ等のラインセンサである。
【００２０】
（光源装置の構成）
以下に、光源装置２７の構成について図面を参照しながら説明する。図２は、光源装置２７の外観斜視図である。図３は、光源装置２７の導光体４２の導光部４６の斜視図である。
【００２１】
光源装置２７は、図２に示すように、光源部４０及び導光体４２を備えている。光源装置２７は、原稿Ｐの読み取り位置に対して２方向から光を照射し、図１に示すように、ｚ軸方向に延在する直線に関して線対称な構造を有している。
【００２２】
導光体４２は、図２に示すように、導光部４６，４８及び接続部４９を含んでおり、Ｕ字型をなしている。導光体４２は、例えば、ポリメタクリル酸メチルにより作製される。導光部４６，４８は、ｙ軸方向に延在している棒状の透明部材である。図３に示すように、導光部４６，４８のｚ軸方向の負方向側の面には、ｙ軸方向に並ぶ複数のプリズムが設けられている。各プリズムは、ｘ軸方向から平面視したときに三角形状をなしている。これにより、プリズムは、導光部４６，４８内の光を導光部４６，４８外に向けて反射する。本実施形態では、プリズムは、光をｚ軸の正方向側に反射させて原稿Ｐに向けて光を放射する。なお、プリズムの代わりに、白色樹脂面が設けられていてもよい。白色樹脂面では拡散反射が生じる。
【００２３】
接続部４９は、図２に示すように、導光部４６，４８のｙ軸方向の負方向側の端部を接続している。以下に、接続部４９の詳細について図面を参照しながら説明する。図４は、光源装置２７をｚ軸方向の正方向側から平面視した図である。
【００２４】
以下では、ｚ軸方向から平面視したときに、導光部４６のｘ軸方向の正方向側に位置する外縁のｙ軸方向の負方向側の端部をＴ１とし、導光部４８のｘ軸方向の負方向側に位置する外縁のｙ軸方向の負方向側の端部をＴ２とする。また、ｚ軸方向から平面視したときに、端部Ｔ１と端部Ｔ２との中点を中点Ｃ０とする。
【００２５】
また、ｚ軸方向の正方向側から平面視したときに、端部Ｔ１と端部Ｔ２を接続する接続部４９の外縁において、中点Ｃ０よりもｘ軸方向の正方向側の外縁を外縁Ｐ１と呼び、中点Ｃ０よりもｘ軸方向の負方向側の外縁を外縁Ｐ２と呼ぶ。
【００２６】
外縁Ｐ１は、ｚ軸方向から平面視したときに、円弧部Ｒ１を含んでいる。本実施形態では、外縁Ｐ１の全体が円弧部Ｒ１である。円弧部Ｒ１の中心Ｃ１は、中点Ｃ０に対してｘ軸方向の負方向側に位置している。すなわち、円弧部Ｒ１の半径ｒ１は、端部Ｔ１と中点Ｃ０との距離よりも長い。
【００２７】
外縁Ｐ２は、ｚ軸方向から平面視したときに、円弧部Ｒ２を含んでいる。本実施形態では、外縁Ｐ２の全体が円弧部Ｒ２である。円弧部Ｒ２の中心Ｃ２は、中点Ｃ０に対してｘ軸方向の正方向側に位置している。すなわち、円弧部Ｒ２の半径ｒ２は、端部Ｔ２と中点Ｃ０との距離よりも長い。本実施形態では、半径ｒ１と半径ｒ２とは等しい。また、端部Ｔ１、Ｔ２、中点Ｃ０及び中心Ｃ１，Ｃ２は、ｘ軸方向と平行に一直線上に並んでいる。
【００２８】
光源部４０は、光源及び回路基板を含んでいる。回路基板は、光源を駆動するための駆動回路が設けられた基板である。光源は、例えば、ＬＥＤにより構成され、回路基板に実装されている。光源は、導光部４６のｙ軸方向の正方向側の端面に対向しており、ｙ軸の負方向側、ｚ軸の正方向側及び負方向側、並びに、ｘ軸の正方向側及び負方向側に向けて光を放射する。本実施形態では、光源は、ｙ軸を中心として１２０度程度の半減角（中心方向に対して輝度が５０％となる角度）を有している。光源が放射した光は、導光部４６のｙ軸方向の正方向側の端面を介して導光部４６内に入射する。
【００２９】
ここで、光源部４０の配置についてより詳細に説明する。図４に示すように、導光部４６のｘ軸方向の中心を通過する直線を直線Ｌ１とする。このとき、光源部４０は、光源が直線Ｌ１よりもｘ軸方向の正方向側に位置するように配置される。より正確には、光源は、導光部４６のｙ軸方向の正方向側の端部において直線Ｌ１よりもｘ軸方向の正方向側を中心として導光部４６に光を入射させる。ただし、光源は、直線Ｌ１から離れ過ぎてはいけない。具体的には、光源が放射した光の全てが、導光部４６のｙ軸方向の正方向側の端部に照射されることが好ましい。
【００３０】
以上のように構成された光源装置２７では、導光部４６のｙ軸方向の正方向側の端部から入射した光は、導光部４６内において全反射を繰り返しながら、ｙ軸方向の負方向側に向かって進行する。更に、接続部４９に到達した光は、接続部４９内において全反射を繰り返しながら導光部４８に到達する。そして、導光部４８に到達した光は、導光部内において全反射を繰り返しながらｙ軸方向の正方向側に向かって進行する。光は、導光部４６，４８を進行する間において、プリズムにおいて反射されてｚ軸方向の正方向側に向けて導光体４２から放射される。
【００３１】
（効果）
以上のように構成された光源装置２７によれば、導光部４６から導光部４８へと効率よく光を導くことができる。以下では、光源装置２７において外縁Ｐ１，Ｐ２が中点Ｃ０を中心とする円弧により構成されている光源装置を第１の比較例とする。第１の比較例に係る光源装置では、外縁Ｐ１，Ｐ２の半径は、端部Ｔ１と中点Ｃ０との距離と等しい。
【００３２】
光源装置２７では、外縁Ｐ１は、ｚ軸方向から平面視したときに、円弧部Ｒ１を含んでいる。円弧部Ｒ１の中心Ｃ１は、中点Ｃ０に対してｘ軸方向の負方向側に位置している。これにより、円弧部Ｒ１の半径ｒ１は、端部Ｔ１と中点Ｃ０との距離よりも長い。すなわち、光源装置２７における外縁Ｐ１の半径ｒ１は、第１の比較例に係る光源装置２７における外縁Ｐ１の半径ｒ１よりも長い。そのため、光源装置２７における外縁Ｐ１への光の入射角は、第１の比較例に係る光源装置における外縁Ｐ１への光の入射角よりも大きくなる。その結果、光は、外縁Ｐ１において全反射されやすくなる。したがって、光が効率よく導光部４６から接続部４９を介して導光部４８へと導かれるようになる。
【００３３】
以下の理由によっても、導光部４６から導光部４８へと効率よく光を導くことができる。より詳細には、以下では、光源装置２７において、光源が、導光部４６のｙ軸方向の正方向側の端部において直線Ｌ１を中心として導光部４６に光を入射させる光源装置を第２の比較例とする。なお、第２の比較例は、外縁Ｐ１が、ｚ軸方向から平面視したときに、円弧部Ｒ１を含んでおり、かつ、円弧部Ｒ１の中心Ｃ１が、中点Ｃ０に対してｘ軸方向の負方向側に位置しているので、本発明の対象である。
【００３４】
光源装置２７では、光源は、導光部４６のｙ軸方向の正方向側の端部において直線Ｌ１よりもｘ軸方向の正方向側を中心として導光部４６に光を入射させる。一方、第２の比較例に係る光源装置では、光源は、導光部４６のｙ軸方向の正方向側の端部において直線Ｌ１を中心として導光部４６に光を入射させる。そのため、光源装置２７における導光部４６を通過し外縁Ｐ１に入射する光の分布のピークは、第２の比較例に係る光源装置における導光部４６を通過し外縁Ｐ１に入射する光の分布のピークに比べてｘ軸方向の正方向側にずれるようになる。そのため、光源装置２７における外縁Ｐ１への光の入射角は、第２の比較例に係る光源装置における外縁Ｐ１への光の入射角よりも大きくなる。その結果、光は、外縁Ｐ１において全反射されやすくなる。したがって、光が効率よく導光部４６から接続部４９を介して導光部４８へと導かれるようになる。
【００３５】
本願発明者は、光源装置２７が奏する効果をより明確にするために、以下に説明するコンピュータシミュレーションを行った。具体的には、中心Ｃ１，Ｃ２の中点Ｃ０からのずれ量を０ｍｍ、０．５ｍｍ、１ｍｍ、１．５ｍｍと変化させると共に、光源の直線Ｌ１からのｘ軸方向のずれ量を−２ｍｍ、０ｍｍ、２ｍｍと変化させた。そして、このときのＬｂ／Ｌａ（以下、導光率と呼ぶ）を演算した。Ｌａは、導光部４６から接続部４９へと入射する光の量である。Ｌｂは、接続部４９から導光部４８へと入射する光の量である。また、導光部４６，４８のｘ軸方向の幅はそれぞれ６ｍｍであり、導光部４６の中心と導光部４８の中心とのｘ軸方向の間隔は１２ｍｍである。表１は、シミュレーション結果を示した表である。
【００３６】
【表１】
2015118771.tif 000003
【００３７】
表１によれば、中心Ｃ１，Ｃ２の中点Ｃ０からのずれ量が大きくなるにしたがって、導光率が向上していることが分かる。したがって、光源装置２７において、外縁Ｐ１が、ｚ軸方向から平面視したときに、円弧部Ｒ１を含み、かつ、円弧部Ｒ１の中心Ｃ１が、中点Ｃ０に対してｘ軸方向の負方向側に位置していることにより、光が効率よく導光部４６から接続部４９を介して導光部４８へと導かれるようになることが分かる。
【００３８】
また、表１によれば、光源の直線Ｌ１からのｘ軸方向のずれ量が正方向に大きくなるにしたがって、導光率が向上していることが分かる。したがって、光源が、導光部４６のｙ軸方向の正方向側の端部において直線Ｌ１よりもｘ軸方向の正方向側を中心として導光部４６に光を入射させることにより、光が効率よく導光部４６から接続部４９を介して導光部４８へと導かれるようになることが分かる。
【００３９】
（第１の変形例）
以下に、第１の変形例に係る光源装置２７ａについて図面を参照しながら説明する。図５は、光源装置２７ａの外観斜視図である。図６は、光源装置２７ａの接続部５０近傍を平面視した図である。
【００４０】
光源装置２７ａは、接続部５０が設けられている点、及び、光源部４０の位置が異なる点において光源装置２７と相違する。以下に、かかる相違点を中心に光源装置２７ａについて説明する。
【００４１】
導光体４２は、接続部５０を更に備えている。接続部５０は、図５及び図６に示すように、導光部４６，４８のｙ軸方向の正方向側の端部に接続されている。また、接続部５０は、図６に示すように、反射面Ｓ１，Ｓ２，入射面Ｓ３及び保持面Ｓ４を含んでいる。
【００４２】
保持面Ｓ４は、光源部４０の回路基板が接触する面であり、接続部５０のｙ軸方向の正方向側の面である。入射面Ｓ３は、保持面Ｓ４のｘ軸方向の中央が窪むことにより形成されており、ｚ軸方向に延在する円筒を円筒の中心軸に沿って半分に分割した形状をなしている。反射面Ｓ１，Ｓ２は、保持面Ｓ４に対して、ｙ軸方向の負方向側に設けられている。すなわち、反射面Ｓ１，Ｓ２は、接続部５０のｙ軸方向の負方向側の面であり、ｘ軸方向の負方向側から正方向側へとこの順に並んでいる。また、反射面Ｓ１は、ｘ軸方向の正方向側であってｙ軸方向の負方向側を向く平面である。反射面Ｓ２は、ｘ軸方向の負方向側であってｙ軸方向の負方向側を向く平面である。これにより、反射面Ｓ１，Ｓ２は、ｚ軸方向から平面視したときにＶ字型をなしている。また、反射面Ｓ１，Ｓ２は、接続部５０のｘ軸方向の中心を通過するｙ軸方向に平行な直線に関して、互いに線対称な構造を有している。
【００４３】
光源部４０は、図６に示すように、保持面Ｓ４に取り付けられる。具体的には、光源部４０は、光源部４０の光源が、入射面Ｓ３に囲まれた空間内に収まるように、保持面Ｓ４に取り付けられる。以上のような光源装置２７ａにおける光の経路の詳細について図面を参照しながら説明する。
【００４４】
光源は光を放射する。これにより、光源が放射した光は、入射面Ｓ３を介して接続部５０内に入射する。入射面Ｓ３から入射した光の一部（光Ｂ１）は、反射面Ｓ１に入射する。反射面Ｓ１は、光Ｂ１を全反射する。これにより、入射面Ｓ３から入射した光Ｂ１は、導光部４８のｙ軸方向の正方向側の端部から導光部４８に入射する。また、入射面Ｓ３から入射した光の一部（光Ｂ２）は、反射面Ｓ１に入射せずに、導光部４８のｙ軸方向の正方向側の端部から導光部４８に入射する。
【００４５】
導光部４８に入射した光Ｂ１，Ｂ２は、導光部４８の内周面において全反射を繰り返しながらｙ軸方向の負方向側へと進行する。光Ｂ１，Ｂ２は、ｙ軸方向に向かって進行中に、導光部４８に設けられたプリズムにおいて反射される。これにより、光Ｂ１，Ｂ２は、ｚ軸方向の正方向側に向かって導光部４８外へと出射する。
【００４６】
入射面Ｓ３から入射した光の一部（光Ｂ３）は、反射面Ｓ２に入射する。反射面Ｓ２は、光Ｂ３を全反射する。これにより、入射面Ｓ３から入射した光Ｂ３は、導光部４６のｙ軸方向の正方向側の端部から導光部４６に入射する。また、入射面Ｓ３から入射した光の一部（光Ｂ４）は、反射面Ｓ２に入射せずに、導光部４６のｙ軸方向の正方向側の端部から導光部４６に入射する。
【００４７】
導光部４６に入射した光Ｂ３，Ｂ４は、導光部４６の内周面において全反射を繰り返しながらｙ軸方向の負方向側へと進行する。光Ｂ３，Ｂ４は、ｙ軸方向の負方向側に向かって進行中に、導光部４６に設けられたプリズムにおいて反射される。これにより、光Ｂ３，Ｂ４は、ｚ軸方向の正方向側に向かって導光部４６外へと出射する。
【００４８】
（効果）
以上のように構成された光源装置２７ａによれば、光源装置２７と同様に、導光部４６から導光部４８へと効率よく光を導くことができる。
【００４９】
また、光源装置２７ａによれば、導光部４８から導光部４６へと効率よく光を導くことができる。より詳細には、光源装置２７ａでは、外縁Ｐ２は、ｚ軸方向から平面視したときに、円弧部Ｒ２を含んでいる。円弧部Ｒ２の中心Ｃ２は、中点Ｃ０に対してｘ軸方向の正方向側に位置している。これにより、円弧部Ｒ２の半径ｒ２は、端部Ｔ２と中点Ｃ０との距離よりも長い。そのため、光源装置２７ａにおける外縁Ｐ２への光の入射角が大きくなり、光が外縁Ｐ２において全反射されやすくなる。したがって、光が効率よく導光部４８から接続部４９を介して導光部４６へと導かれるようになる。
【００５０】
本願発明者は、光源装置２７ａが奏する効果をより明確にするために、以下に説明するコンピュータシミュレーションを行った。具体的には、中心Ｃ１，Ｃ２の中点Ｃ０からのずれ量を０ｍｍ、０．５ｍｍ、０．８ｍｍ、１ｍｍ、１．２ｍｍ、１．５ｍｍ、２ｍｍと変化させた。そして、このときのＬｂ／Ｌａ（以下、導光率と呼ぶ）を演算した。Ｌａは、導光部４６から接続部４９へと入射する光の量である。Ｌｂは、接続部４９から導光部４８へと入射する光の量である。また、導光部４６，４８のｘ軸方向の幅はそれぞれ６ｍｍであり、導光部４６の中心と導光部４８の中心とのｘ軸方向の間隔は１２ｍｍである。表２は、シミュレーション結果を示した表である。
【００５１】
【表２】
2015118771.tif 000004
【００５２】
表２によれば、中心Ｃ１，Ｃ２の中点Ｃ０からのずれ量が大きくなるにしたがって、導光率が向上していることが分かる。したがって、光源装置２７ａにおいて、外縁Ｐ１が、ｚ軸方向から平面視したときに、円弧部Ｒ１を含み、かつ、円弧部Ｒ１の中心Ｃ１が、中点Ｃ０に対してｘ軸方向の負方向側に位置していることにより、光が効率よく導光部４６から接続部４９を介して導光部４８へと導かれるようになることが分かる。
【００５３】
ただし、表２によれば、中心Ｃ１，Ｃ２の中点Ｃ０からのずれ量が１.５ｍｍを超えると、導光率が大きく減少している。したがって、中心Ｃ１，Ｃ２の中点Ｃ０からのずれ量は、１．５ｍｍ以下であることが好ましいことが分かる。本願発明者によれば、ずれ量は、導光部４６，４８のｘ軸方向の幅の１／１０以上１／３以下であることが好ましい。
【００５４】
（第２の変形例）
以下に、第２の変形例に係る光源装置２７ｂについて図面を参照しながら説明する。図７は、光源装置２７ｂの接続部４９近傍を平面視した図である。なお、光源装置２７ｂの外観斜視図は、図２を援用する。
【００５５】
光源装置２７ｂは、外縁Ｐ１，Ｐ２の形状において光源装置２７と相違する。以下に、かかる相違点を中心に光源装置２７ｂについて説明する。
【００５６】
外縁Ｐ１は、ｚ軸方向から平面視したときに、円弧部Ｒ１及び緩和部Ｋ１を含んでいる。緩和部Ｋ１は、ｚ軸方向から平面視したときに、円弧部Ｒ１と端部Ｔ１との間において緩和曲線（クロソイド曲線）をなしている。
【００５７】
また、外縁Ｐ２は、ｚ軸方向から平面視したときに、円弧部Ｒ２及び緩和部Ｋ２を含んでいる。緩和部Ｋ２は、ｚ軸方向から平面視したときに、円弧部Ｒ２と端部Ｔ２との間において緩和曲線（クロソイド曲線）をなしている。
【００５８】
以上のように構成された光源装置２７ｂは、光源装置２７と同様に、導光部４６から導光部４８へと効率よく光を導くことができる。
【００５９】
また、外縁Ｐ１は、円弧部Ｒ１と端部Ｔ１との間において緩和曲線をなす緩和部Ｋ１を含んでいる。これにより、外縁Ｐ１に入射する光の入射角が更に大きくなり、光が全反射されやすくなる。その結果、光源装置２７ｂは、導光部４６から導光部４８へとより効率よく光を導くことができる。
【００６０】
（第３の変形例）
以下に、第３の変形例に係る光源装置２７ｃについて図面を参照しながら説明する。図８ないし図１２は、導光部４６のｙ軸方向に直交する断面における断面構造図である。
【００６１】
光源装置２７ｃは、導光部４６，４８の断面形状において光源装置２７と相違する。より詳細には、光源装置２７では、導光部４６，４８の断面形状については言及していなかった。一方、光源装置２７ｃでは、導光部４６のｙ軸方向に直交する断面の重心（以下、導光部４６の重心Ｇと呼ぶ）は、導光部４６のｙ軸方向に直交する断面のｘ軸方向の中心（以下、導光部４６の中心Ｃと呼ぶ）よりも、ｘ軸方向の正方向側に位置している。同様に、光源装置２７ｃでは、導光部４８のｙ軸方向に直交する断面の重心（以下、導光部４８の重心Ｇと呼ぶ）は、導光部４８のｙ軸方向に直交する断面のｘ軸方向の中心（以下、導光部４８の中心Ｃと呼ぶ）よりも、ｘ軸方向の負方向側に位置している。
【００６２】
以上のように、導光部４６，４８の重心Ｇを導光部４６，４８の中心Ｃよりも外側にずらすことにより、導光部４６から導光部４８へとより効率よく光を導くことができる。
【００６３】
本願発明者は、光源装置２７ｃが奏する効果をより明確にするために、以下に説明するコンピュータシミュレーションを行った。具体的には、導光部４６の断面形状を図８ないし図１２に示す形状に変化させたときの導光率を演算した。以下では、導光部４６の中心Ｃに対する導光部４６の重心Ｇのｘ軸方向の正方向側へのずれ量を単にずれ量と呼ぶ。図８に示す第１のモデルでは、ずれ量は０．２８ｍｍである。図９に示す第２のモデルでは、ずれ量は−０．２５ｍｍである。図１０に示す第３のモデルでは、ずれ量は−０．１ｍｍである。図１１に示す第４のモデルでは、ずれ量は０ｍｍである。図１２に示す第５のモデルでは、ずれ量は０．１５ｍｍである。なお、導光部４８の断面形状は、導光部４６の断面形状と左右対称である。表３は、シミュレーション結果を示した表である。
【００６４】
【表３】
2015118771.tif 000005
【００６５】
表３によれば、ずれ量が正に大きくなるにしたがって、導光率が高くなることが分かる。これにより、導光部４６，４８の重心Ｇを導光部４６，４８の中心Ｃよりも外側にずらすことにより、導光部４６から導光部４８へとより効率よく光を導くことができることが分かる。
【００６６】
（その他の実施形態）
本発明に係る光源装置は、光源装置２７，２７ａ〜２７ｃに限らず、その要旨の範囲内において変更可能である。
【００６７】
なお、光源装置２７，２７ａ〜２７ｃの構成を任意に組み合わせてもよい。
【００６８】
また、光源装置２７において、導光部４６のｙ軸方向の正方向側の端部に対向するように光源部４０を設けることに加えて、導光部４８のｙ軸方向の正方向側の端部に対向するように光源部を設けてもよい。
【産業上の利用可能性】
【００６９】
本発明に係る導光体、光源装置及び画像読み取り装置は、第１の導光部から第２の導光部へと効率よく光を導くことができる点において優れている。
【符号の説明】
【００７０】
１０：画像読み取り装置
１２：本体
２７，２７ａ〜２７ｃ：光源装置
４０：光源部
４２：導光体
４６，４８：導光部
４９，５０：接続部
Ｋ１，Ｋ２：緩和部
Ｐ１，Ｐ２：外縁
Ｒ１，Ｒ２：円弧部
Ｔ１，Ｔ２：端部
【図１】
2015118771.tif 000006
【図２】
2015118771.tif 000007
【図３】
2015118771.tif 000008
【図４】
2015118771.tif 000009
【図５】
2015118771.tif 000010
【図６】
2015118771.tif 000011
【図７】
2015118771.tif 000012
【図８】
2015118771.tif 000013
【図９】
2015118771.tif 000014
【図１０】
2015118771.tif 000015
【図１１】
2015118771.tif 000016
【図１２】
2015118771.tif 000017